(57)【特許請求の範囲】
【請求項１】
長方形の液不透過性のバックシート上に長方形の平面状吸収体と液透過性のトップシート
を積層してなる基板を２つ折して相重なる両サイドを接合して袋状体を形成し、該袋状体
の開口部の内面上部に沿って、軟質な棒状体より形成され、上記開口部一杯の長さを有し
、長さ方向中央部に溝状のずれ止め部が凹設されているパッド固定用棒状体を取り付け、
該パッド固定用棒状体を取り付けた反対側のバックシートを延伸して形成した延長部の裏
面に幅広の粘着剤層を設けると共に、上記袋状体の内部にブロック状吸収体を収納したこ
とを特徴とする男性用使い捨て尿取りパッド。
【請求項２】
上記粘着剤層上に剥離紙を被着させたことを特徴とする請求項１に記載の男性用使い捨て
尿取りパッド。
【請求項３】
上記パッド固定用棒状体の上記バックシートに接着される面が平坦な形状を有すること
を特徴とする請求項１記載の男性用使い捨て尿取りパッド。
【請求項４】
上記ブロック状吸収体は布製の円筒形状袋の中に、真綿、綿状パルプ等の吸収体を充填し
、高分子吸収性ポリマーを含浸したものを使用することを特徴とする請求項１記載の男性
用使い捨て尿取りパッド。
【発明の詳細な説明】
【技術分野】
【０００１】
本発明は、男性用使い捨て尿取りパッド、特に、泌尿器関係の治療や手術を受け失禁の
畏れのある男性用の使い捨て尿取りパッドに関するものである。
【背景技術】
【０００２】
寝たきり病人、高齢者や失禁しやすい人のための男性用使い捨て尿取りパッドは従来か
ら各種提案され、使用されている。
【先行技術文献】
【特許文献】
【０００３】
【特許文献１】特開２００２−５２０４１号公報
【特許文献２】特開平０９−０１９４５２号公報
【発明の概要】
【発明が解決しようとする課題】
【０００４】
上記特開２００２−５２０４１号公報に開示されている失禁パッドは吸収性シートと不
透液性バックシートの間に吸収コアを配して両シートの４周を熱接着したもので、いわゆ
るオムツ状にして下腹部に装着して、その上から尿漏れパンツかT字帯を使って固定して
使用する。このパッドの使用方法では、陰嚢と陰茎をパッド内に収納するので、臀部と陰
嚢部に尿が流れ、僅か数日の使用で皮膚に炎症を起こし、かぶれが発生し耐え難い苦痛に
苦しめられるという欠点がある。
【０００５】
上記特開平０９−０１９４５２号公報に開示されている男性用使い捨ておむつは、液透
過性のトップシートと液不透過性のバックシートの間に吸収体を配置した中央吸収体部の
両側にサイドフラップを設け、この中央吸収体を２つ折りし、サイドフラップ同士を接合
してサック状の袋状体を形成し、この袋状体の上部に形成される開口部から陰茎を挿入し
、バックシートの表面に設けられた粘着部によって、このおむつの上に装着したパンツ等
の裏面に貼り付けて固定するものである。
【０００６】
この使い捨ておむつでは、陰嚢部はこの袋状体の外に位置するので、前記の失禁パッド
のような陰嚢部のかぶれ等は発生しにくいが、吸収体の容量が小さいので、小水の量が多
いときは吸収しきれず漏れが発生することがある。またこのおむつは陰茎と陰嚢の間に袋
状体の開口部を挟み込み、バックシートの表面の粘着部で固定しているだけなので、尿漏
れパンツやT字帯の使用が欠かせないので、ズボンを着用した場合、陰部が異常に膨れ上
がって、外観が悪く、外出用には使用できないという欠点がある。薄手のＴ字帯を使用し
たときでも、陰嚢部が陰茎部と共に押しつぶされているので、むれ安く、かぶれ等が発生
しやすいという欠点がある。
【０００７】
仮に、尿漏れパンツを使用せずに、通常のパンツに着用した場合は、粘着部が動きの激
しいパンツの股間部に近いところに位置しているため剥がれやすく、又、歩くたびに袋状
体が左右にふられ、次第にずれ落ち、やがては陰茎が飛び出てしまうという欠点がある。
【課題を解決するための手段】
【０００８】
本発明は、股間の蒸れが少なく、多量の小水を保有することができ、漏れが少なく、外
出用にも使用できる男性用使い捨て尿取りパッドを安価に提供することを目的とする。
【０００９】
本発明の男性用使い捨て尿取りパッドは、長方形の液不透過性のバックシート上に長方
形の平面状吸収体と液透過性のトップシートを積層してなる基板を２つ折して相重なる両
サイドを接合して袋状体を形成し、該袋状体の開口部の内面上部に沿ってパッド固定用棒
状体を取り付け、該パッド固定用棒状体を取り付けた反対側のバックシートを延伸して形
成した延長部の裏面に幅広の粘着剤層を設けると共に、上記袋状体の内部にブロック状吸
収体を収納したことを特徴とする。
【００１０】
バックシートとしては、液不透過性プラスチックフイルム、液体は透過しないが気体は
透過する微細な気孔を有するプラスチックフイルム、または、これらのプラスチックフイ
ルムの外側に不織布を張り合わせた複合シート等を用いることができる。
【００１１】
平面状吸収体としては、真綿、綿状パルプ、親水性シート、又はこれらのシートに高分
子吸収性ポリマーを含浸させたものを用いることができる。
【００１２】
トップシートとしては、親水性の不織布、多孔性プラスチックまたは合成或いは天然繊
維の織布を用いることができる。特に、ポリエステル、ポリプロピレン、ポリアミド等の
複合繊維の織布が強度の面と液透過性の点で優れているので好ましい。
【００１３】
パッド本体の袋状体を形成するためのバックシートの相重なる両サイドの接合には、両
サイドに予め設けられた帯状の接着剤層による接合、バックシートの相重なる両サイドの
熱接合、接着剤による接合、または高周波接合などの方法で行うことができる。
【００１４】
バックシートの上部に設けた粘着剤層上には剥離紙を被着させることが望ましい。
【００１５】
パッド固定用棒状体は軟質の棒状体により形成され、袋状体の開口部一杯の長さを有し
、長さ方向中央部に溝状に凹設されたずれ止め部が設けられている。このパッド固定棒状
体は陰茎の根元と陰嚢の間に挟みこんで、パッドがずれたり外れたりすることを防止する
ために用いられる。そのために材質は綿状パルプ等の弾性のある柔らかい素材で棒状に形
成し、長さ方向中央部に溝状のずれ止め部を凹設し、パッドが左右にずれるのを防止する
。パッド固定用棒状体はバックシートの内側下端部に接着されている。そのために、断面
を半円状にして底部を平坦にしてバックシートに固定しやすくすることが好ましい。
【００１６】
ブロック状吸収体は円筒状にするのが望ましい。そして布製の円筒形状袋の中に、真綿
、綿状パルプ等の吸収体を充填し、高分子吸収性ポリマーを含浸したものを使用する。こ
のブロック状吸収体は袋状体の内部底部に収容しただけでもよいが、場合によっては、袋
状体の底部に接着などによって固定してもよい。
【発明の効果】
【００１７】
本発明の男性用使い捨て尿取りパッドは、長方形の液不透過性のバックシートに平面状
吸収体と液透過性のトップシートを積層して形成した基板を２つ折にし、両サイドを接合
して袋状体を形成し、使用に際して、この袋状体に陰茎のみを挿入して装着して使用する
ので、陰嚢部に漏れた尿が付着して蒸れたりだだれたりする恐れがなく快適に着用するこ
とができる。
【００１８】
本発明の男性用使い捨て尿取りパッドは、長方形の液不透過性のバックシートに平面状
吸収体と液透過性のトップシートを積層して形成した基板を２つ折にし、両サイドを接合
して形成した袋状体の一辺を延伸して延長部を形成し、この延長部の裏面に幅広の粘着剤
層を設けたので、袋状体に陰茎を挿入した後、粘着剤層をこのパッドの上に履いたパンツ
の裏面に接着すれば、比較的動きの少ないパンツの上方に固定できるので、袋状体は吊り
下げられた状態になり、歩行した場合でも、パッド自体は比較的動きが少なく、ずれたり
脱落することがなくなる。また、粘着剤層は幅広に形成されているので、歩行に際してパ
ッドの振れが少なくなり、パッドのずれや脱落を防止する効果を助長する。
【００１９】
本発明の男性用使い捨て尿取りパッドは、袋状体の開口部の内面上部に沿ってパッド固
定用棒状体を取り付けたので、この袋状体に陰茎を挿入した場合、陰茎の根元と陰嚢によ
ってパッド固定用棒状体を挟み込む状態になる。したがって、パッドの袋状体の上部がパ
ッド固定用棒状体を介して陰茎と陰嚢によって固定されるので、袋状体がずれ落ちること
がなくなる。さらに、このパッド固定用棒状体は長さ方向中央部に溝状のずれ止め部が凹
設されているので、このずれ止め部に陰茎が係合して、パッドが横方向にずれるのが防止
され、より確実にパッドを固定することができる。仮に、このパッド固定用棒状体が存在
しないパッドをつけて歩行した場合、パッドは両足の動きによって左右に振れ、次第に下
方にずれ落ち、やがては陰茎が飛び出てしまう事がある。これは、発明者自身が約１年に
亘り着用して体験したところである。
【００２０】
本発明の男性用使い捨て尿取りパッドのパッド固定用棒状体は、袋状体の開口部一杯の
長さを有するので、就寝時このパッドを使用した場合、パッドの袋状体が水平になり、袋
状体の中の尿が逆流して開口部から外に漏れるのを防ぐことが出来る。また、パッド固定
用棒状体はずれ止め部の両端に段差が付いているので、開口部を開く際、棒状体がこの段
差部で折れ曲がって開きやすくなる効果も有する。
【００２１】
本発明の男性用使い捨て尿取りパッドは、袋状体の中にブロック状吸収体を収納したの
で、多量の小水が排出された時でも、ブロック状吸収体に吸収され、漏出することがなく
なる。特に、吸収体として高分子吸水性ポリマーを混在した時は、吸収体の容量の２０倍
の小水を吸収し、保持することができる。
また、一旦、ブロック状吸収体に吸収された小水は、時間が経過すれば、液浸透性のト
ップシートを経て、平面吸収体に吸収されてゆくので、ブロック状吸収体はさらにその後
に排出された小水を吸収することも可能になる。
【００２２】
本発明の男性用使い捨て尿取りパッドは、泌尿器科の治療や手術を受けている人又は受
けた人で自ら排尿の処理を行うことが出来る人が着用することを推奨する。特に、膀胱癌
や前立腺癌で膀胱や前立腺を全摘出した場合、尿管が短くなり、陰茎が２／３程度に短く
なる。そのために、袋状体に陰茎を挿入するという従来の尿取りパッドを使用して歩行す
ると、袋状体は歩行のたびに両足の大腿部の前後運動によって前後左右に揺れて次第にず
り落ち、簡単に陰茎が袋から飛び出てしまう。しかし、本発明のパッド固定用棒状体の付
いた尿取りパッドを使用して歩行しても、パッド固定用棒状体は陰茎と陰嚢の間に挟まれ
て固定されているので、尿取りパッドがずり落ち、陰茎が飛び出るのを防止することがで
きる。
勿論、介護者の手を借りなければ排尿処理が出来ない人でも、尿漏れパンツやT字帯と
併用することによって、本発明の尿取りパッドを着用することが可能である。
【００２３】
本発明の男性用使い捨て尿取りパッドは、尿漏れパンツやT字帯を使用しなくとも普通
のパンツに取り付けられ、小型でしかも歩行しても脱落の恐れがないので外出用に使用す
ることができる。
【発明を実施するための最良の形態】
【００２４】
本発明を実施するための最良の形態を実施例によって説明する。
【実施例１】
【００２５】
図１は、本発明の男性用使い捨て尿取りパッド１の斜面図、図２はその正面図である。
１２は袋状部、１３は開口部、１４は延長部、２はバックシート、３は平面状吸収体、４
はトップシート、５はパッド固定用棒状体、６は袋状体１２の内部に収納されたブロック
状吸収体、７は延長部１４の裏面に設けられた粘着剤層、８は剥離紙である。
【００２６】
図３は本尿取りパッドを組み立てる前の基板１１の展開図、図４はその断面図である。
図３、図４に示されるように、基板１１の長方形の液不透過性のバックシート２の表面２
１の下部の長さ方向ほぼ２／３の位置で両サイドの接合面２５，２６を残して、長方形の
平面状吸収体３が液透過性のトップシート４で固定されている。バックシート２の表面２
１の下端にはパッド固定用棒状体５が取り付けられている。
【００２７】
パッド固定用棒状体５は図５の５ｃに示されるように、断面が半球状の軟質の棒状体
５２より形成され、図５ａ及び５ｂに示されるように長さ方向の中央部に溝状のずれ止め
部５１を有する。両端は斜めにカットされて斜面部５３を有する。底面５４は平坦に形成
され、バックシート２に接着により固定しやすくする。
【００２８】
バックシート２の長さ方向上部ほぼ１／３を占める延長部１４の裏面２２には幅広の長
方形の粘着剤層７が設けられている。この粘着剤層７の表面には剥離紙８が貼着されてい
る。６は円筒状をしたブロック状吸収体で、円筒状の布製の袋６１の中に真綿等に高分子
吸収性ポリマーを含浸した吸収体６２が充填されている。
【００２９】
図３の基板１１を折り線Ｌより２つ折りし、両サイドの接合面２５，２６をそれぞれヒ
ートシールして接合して、袋状体１２を形成する。パッド固定用棒状体５は袋状体１２の
開口部１３の幅一杯の長さを有し、その両端は切削面５３，５３とされているので、両サ
イド２５，２６を接合した際、隙間が生じなくなる。そして袋状体１２の内部にブロック
状吸収体６を収納して、本発明の男性用使い捨て尿取りパッド１が完成する。勿論、予め
基板１１にブロック状吸収体６を接着した後、基板１１を２つ折りして袋状体１２を形成
しても良い。
【００３０】
本発明の男性用使い捨て尿取りパッド１を使用する場合は、図６に示すように尿取りパ
ッド１の開口部１３から陰茎９（図は泌尿器科の手術によって陰茎が短くなった状態を示
している。）を挿入し、陰茎９の根元と陰嚢１０の間でパッド固定用棒状体５のずれ止め
部５１を挟み込み、その状態でパンツを着用し、バックシート２の延長部１４の裏面に設
けられた粘着剤層７の剥離紙８を剥がしてパンツの内面に接着して固定する。この際、延
長部１４を上方に引き上げ、なるべくパンツの上の方に接着し、袋状体１２が吊り上げら
れているようにして装着することが肝要である。
【図面の簡単な説明】
【００３１】
【図１】本発明の男性用使い捨て尿取りパッドの斜面図。
【図２】同上正面図
【図３】本発明の男性用使い捨て尿取りパッドの素材の展開図。
【図４】図３A-A線断面図。
【図５】パッド固定用棒状体を示し、５ａはその正面図、５ｂは平面図、５ｃは側面図を示す。
【図６】本発明の男性用使い捨て尿取りパッドの使用状態を示す説明図。
【符号の説明】
【００３２】
１  男性用使い捨て尿取りパッド
２  バックシート
３  平面状吸収体
４  トップシート
５  パッド固定用棒状体
６  ブロック状吸収体
【要約】      （修正有）【課題】股間の蒸れが少なく、多量の小水を保有することができ、漏れが少なく、外出用にも使用できる男性用使い捨て尿取りパットを安価に提供する。【解決手段】液不透過性バックシート２上に平面状吸収体と液透過性トップシート４を積層した基板を２つ折りし、その両サイドを接合して形成された袋状体１２の開口部１３の内側にパット固定用棒状体５が取り付けられ、袋状体１２の中にはブロック状吸収体６が収容されている。バックシート２の延長部１４の裏面には粘着剤層７が設けられている。この男性用使い捨て尿取りパット１の袋状体１２に陰茎を挿入し、陰茎の根元と陰嚢の間にパット固定用棒状体５を挟み込み、延長部の粘着剤層７でパンツの内側に貼り付けて固定する。このパットは尿漏れパンツやT字帯を使用しなくとも普通のパンツに取り付けられ、小型でしかも歩行しても脱落の恐れがないので外出用に使用できる。【選択図】図１【図１】
0004714298.tif 000002
【図２】
0004714298.tif 000003
【図３】
0004714298.tif 000004
【図４】
0004714298.tif 000005
【図５】
0004714298.tif 000006
【図６】
0004714298.tif 000007